(57)【特許請求の範囲】
【請求項１】
飲料水などの液体を貯留する貯液槽と、
この貯液槽の下部において開口する取出口と、
この取出口に連通する供給管と、
前記取出口を開閉する弁体と、
この弁体に連結された連結具と、
設定加速度以上の地震を感知して作動する地震感知器と、
前記弁体が前記取出口を開いた状態にあるときの前記連結具の位置を復帰位置、前記弁体が前記取出口を閉じた状態にあるときの前記連結具の位置を遮断位置とするとき、復帰位置にある連結具と連係するフック部材と、
このフック部材と前記連結具との連係を解除するように動作させる第１の電磁石と、
前記連結具の復帰位置への移動を検知する検知部と、
前記地震感知器の地震感知体を地震感知前の位置に復帰させる第２の電磁石とからなり、
前記地震感知器からの感知信号に基づき、前記第１の電磁石を作動させて前記フック部材と前記連結具との連係を解除することにより、前記連結具が遮断位置に移動し、前記弁体が前記取出口を閉鎖するとともに、前記貯液槽内の液圧が前記弁体を閉鎖位置に押圧するようになされ、
前記検知部が前記連結具の復帰位置への移動を検知したとき、前記第２の電磁石を作動させて前記地震感知器の地震感知体を地震感知前の位置に復帰させることを特徴とする貯液槽の緊急遮断装置。
【請求項２】
前記地震感知器は、永久磁石と前記第２の電磁石とからなり、前記第２の電磁石をオン状態として前記地震感知体を吸引することにより、地震感知体を地震感知前の位置に復帰させ、この後、前記第２の電磁石をオフ状態として、その後は前記永久磁石によってのみ地震感知体を垂下させることにより、地震感知待機状態とすることを特徴とする請求項１記載の貯液槽の緊急遮断装置。
【請求項３】
前記取出口を閉鎖していた前記弁体を引き上げて前記取出口を開放するために前記連結具を前記遮断位置から前記復帰位置まで引っ張って移動させる際、連結具の復帰位置方向への移動を前記検知部によって検知し、前記第１の電磁石を作動させて前記フック部材を前記連結具との連結を解除する位置に移動させ、前記連結具が復帰位置に移動した後、前記第１の電磁石を作動させて前記フック部材を前記連結具と連係するように移動させることを特徴とする請求項１又は２記載の貯液槽の緊急遮断装置。
【発明の詳細な説明】
【０００１】
【発明の属する技術分野】
本発明は、地震によって貯液槽に貯留された飲料水などの液体が流出するのを防止する貯液槽の緊急遮断装置に係り、より詳細には、地震により貯液槽の取出口を閉鎖していた緊急遮断装置の弁体を引き上げる動作を行った際、地震感知器を確実に地震感知待機状態に復帰させて、次の地震（余震）のときに正常に作動するようにした貯液槽の緊急遮断装置に関するものである。
【０００２】
【従来の技術】
従来より、地震によって配管が破損した場合、配管の途中に設けられた流路を閉じて、通水を自動的に遮断する緊急遮断弁が知られている。例えば、特開平５−２４８５５２号公報に記載されているように、地震の発生を地震検知手段によって感知し、その感知信号により、配管の途中に設けられた緊急遮断弁の弁体を作動させ、通水を自動的に遮断するように構成されている。
【０００３】
しかしながら、上述した従来例においては、緊急遮断弁の下流側の配管が破損した場合には有効であるが、緊急遮断弁の上流側の配管が破損した場合には、貯液槽に貯留された飲料水などの流出を防止することができない。すなわち、配管の損傷は、配管同士の接続部分や機器類との接続部分で発生しやすく、緊急遮断弁と貯液槽とを接続する配管が、その接続部分などで破損した場合には、その破損箇所から飲料水などが流失することになる。
【０００４】
そこで、本出願人は、このような問題を解決するために、設定加速度以上の地震を感知したとき、貯液槽内に開口する取出口を弁体で閉鎖するようにした貯液槽の緊急遮断装置を提供している（特願平７−２５５２６４号公報、特願平８−２５３４２５号公報参照）。
【０００５】
【発明が解決しようとする課題】
このような構成とされた貯液槽の緊急遮断装置によれば、地震によって貯液槽の外方に付設されている供給管や、供給管に連なる機器などが破損したとしても、貯液槽が破損しない限り、貯液槽に貯留されている液体を確実に確保することができる。
【０００６】
しかしながら、このような本出願人の提案した貯液槽の緊急遮断装置においても、地震が発生した後、貯液槽の取出口を閉鎖していた弁体を引き上げて地震発生前の状態に復帰させたとき、ついうっかり地震感知器を地震感知待機状態に復帰させることを忘れてしまった場合には、次に地震（余震）が発生したときにこれを感知できず、弁体が開いたままになってしまうといった不具合が残されていた。
【０００７】
本発明はこのような問題点を解決するために創案されたもので、その目的は、地震後、取出口を閉鎖している緊急遮断装置の弁体を引き上げて貯液槽内の液を取り出せるようにするその動作に連動させて、地震感知器を確実に地震感知待機状態に復帰させ、次の地震（余震）のときに正常に作動するようにした貯液槽の緊急遮断装置を提供することにある。
【０００８】
【課題を解決するための手段】
上記課題を解決するため、本発明の請求項１記載の貯液槽の緊急遮断装置は、飲料水などの液体を貯留する貯液槽と、この貯液槽の下部において開口する取出口と、この取出口に連通する供給管と、前記取出口を開閉する弁体と、この弁体に連結された連結具と、設定加速度以上の地震を感知して作動する地震感知器と、前記弁体が前記取出口を開いた状態にあるときの前記連結具の位置を復帰位置、前記弁体が前記取出口を閉じた状態にあるときの前記連結具の位置を遮断位置とするとき、復帰位置にある連結具と連係するフック部材と、このフック部材と前記連結具との連係を解除するように動作させる第１の電磁石と、前記連結具の復帰位置への移動を検知する検知部と、前記地震感知器の地震感知体を地震感知前の位置に復帰させる第２の電磁石とからなり、前記地震感知器からの感知信号に基づき、前記第１の電磁石を作動させて前記フック部材と前記連結具との連係を解除することにより、前記連結具が遮断位置に移動し、前記弁体が前記取出口を閉鎖するとともに、前記貯液槽内の液圧が前記弁体を閉鎖位置に押圧するようになされ、前記検知部が前記連結具の復帰位置への移動を検知したとき、前記第２の電磁石を作動させて前記地震感知器の地震感知体を地震感知前の位置に復帰させるものである。
【０００９】
また、本発明の請求項２記載の貯液槽の緊急遮断装置は、請求項１記載のものにおいて、前記地震感知器は、永久磁石と前記第２の電磁石とからなり、前記第２の電磁石をオン状態として前記地震感知体を吸引することにより、地震感知体を地震感知前の位置に復帰させ、この後、前記第２の電磁石をオフ状態として、その後は前記永久磁石によってのみ地震感知体を垂下させることにより、地震感知待機状態とするものである。
【００１０】
また、本発明の請求項３記載の貯液槽の緊急遮断装置は、請求項１又は２記載のものにおいて、前記取出口を閉鎖していた前記弁体を引き上げて前記取出口を開放するために前記連結具を前記遮断位置から前記復帰位置まで引っ張って移動させる際、連結具の復帰位置方向への移動を前記検知部によって検知し、前記第１の電磁石を作動させて前記フック部材を前記連結具との連結を解除する位置に移動させ、前記連結具が復帰位置に移動した後、前記第１の電磁石を作動させて前記フック部材を前記連結具と連係するように移動させるものである。
【００１１】
【発明の実施の形態】
以下、本発明の実施例の形態を図面を参照して説明する。
【００１２】
図１ないし図３は、本発明の貯液槽の緊急遮断装置１の第１実施形態を示している。図１には２槽式の貯液槽が示されており、それぞれの貯液槽２，２に同様の緊急遮断装置の係脱機構８，８が取り付けられているので、以下の説明においては、主として、図１中手前側に示した係脱機構８の作動について述べることとし、貯液槽の緊急遮断装置１について説明する。また、図２は弁体４及び係脱機構８周辺の部分拡大図、図３（ａ）は係脱機構８のカバー部を取り除いた状態を示す平面図、図３（ｂ）は図３（ａ）のＡ−Ａ線断面図、図３（ｃ）は図３（ｂ）のＢ−Ｂ線断面図、図３（ｄ）は係脱機構８の一部切欠側面図である。
【００１３】
この実施形態における緊急遮断装置１は、上水、中水あるいは消防用水などの各種液体を貯留する貯液槽２と、この貯液槽２の下部に開口する取出口２ａと、この取出口２ａに連通する供給管３と、貯液槽２の取出口２ａを開閉する弁体４と、この弁体４に連結された連結具５（具体的にはロッド５１）と、設定加速度以上の地震を感知して作動する地震感知器６と、この地震感知器６からの感知信号によりオン作動する、電磁石の一形態である電磁ソレノイドＳ１（第１の電磁石）と、この電磁ソレノイドＳ１とロッド５１とを連係する係脱機構８と、地震感知器６からの感知信号を受けて電磁ソレノイドＳ１などを制御する制御盤９とから構成されている。
【００１４】
貯液槽２は、病院、学校、高層住宅、集合住宅あるいは工場などに設置されるもので、この実施形態においては、供給本管３２に配設されたポンプ３１を介して建屋の屋上や高架水槽などへ揚水する場合が示されている。そして、この貯液槽２に貯留された液体を目的とする所へ供給する供給本管３２は貯液槽２の側壁下部を貫通して貯液槽２内に延設されており、貯液槽２内に延びている供給本管３２の端部は側面より見て斜め方向に切断され、その基端開口部が貯液槽２に貯留された液体の取出口２ａとされている。
【００１５】
また、貯液槽２の外側近傍における供給本管３２には、バタフライバルブ、玉形弁、ゲートバルブなどの主弁３４が配設されており、この主弁３４は通常開放されている。さらに、主弁３４の上流側に位置する供給本管３２と、貯液槽２との間には、連通管３５が接続されており、この連通管３５には通常閉鎖された復帰弁３６が配設されている。このため、復帰弁３６を開放操作することにより、連通管３５を介して貯液槽２内の液体を供給本管３２における主弁３４の上流側に導くことができる。また、供給本管３２における主弁３４の上流側には、通常閉鎖されたエア抜き弁３７が設けられている。
【００１６】
一方、供給本管３２の基端開口部には、その開口部を開閉する弁体４が回動自在に軸支されており、この弁体４には、供給本管３２の基端開口部を密封するパッキン４１が設けられている。また、弁体４には、重錘４３が取り付けられており、地震が発生した場合には、この重錘４３によって弁体４が回動し、取出口２ａを閉鎖するようになっている。また、弁体４と一体的に形成されたアーム４２には、貯液槽２の側壁を貫通して導入されたロッド５１の一端が連結されている。そして、弁体４は、電磁ソレノイドＳ１がオフ作動している場合、後述するようにロッド５１の摺動が規制されて、供給本管３２の基端開口部、すなわち貯液槽２の取出口２ａを開放する位置に持ち上げられている。
【００１７】
なお、ロッド５１の他端には、ガイドピン５２ａ及び係止ピン５２ｂを有するスライド部材５２が接続されている。また、このロッド５１を貯液槽２の内部に導くために、貯液槽２の側壁に形成された開口部には、蛇腹２１がロッド５１と一体に設けられ、貯液槽２内の液体が流出しないように密閉状態とされている。
【００１８】
また、地震感知器６は、磁力を利用して設定加速度以上の地震を感知する構造となっている。すなわち、この地震感知器６は、ケース６３内に永久磁石６７を配置し、この永久磁石６７に地震感知体６１を吸着させ、設定加速度以上の地震（余震）が発生した場合にのみ地震感知体６１を永久磁石６７から離脱させて地震を感知するものである。そして、地震感知体６１が永久磁石６７から離脱した際、地震感知体６１に連結されたアーム６８が回動し、アーム６８の回動位置に配置されたマイクロスイッチＭ３がオン作動して、制御盤９に感知信号を出力するようになっている。
【００１９】
また、永久磁石６７を囲むようにして配置された電磁石の一形態である電磁ソレノイドＳ３（第２の電磁石）をオン作動させることにより、永久磁石６７から離脱した地震感知体６１を吸引して引き上げ、地震感知体６１を再び永久磁石６７に吸着（すなわち、地震感知位置に復帰）させることができるようになっている。その後、電磁ソレノイドＳ３をオフ作動することにより、地震感知器６は永久磁石６７のみによって垂下することになり、地震感知器６は再び地震感知待機状態となる。
【００２０】
また、電磁ソレノイドＳ１は、通常制御盤９からの通電が遮断されており、この場合には、後述する係脱機構８のスプリング８４の収縮力によって可動部７１はオフ位置（図２及び図３（ｂ）において実線位置）にある。そして、地震感知器６の感知信号が制御盤９に出力されると、制御盤９からの通電により電磁ソレノイドＳ１がオン作動し、係脱機構８のスプリング８４の収縮力に抗して、可動部７１がオン位置（図２及び図３（ｂ）において鎖線位置）に移動する。
【００２１】
ところで、係脱機構８は、上述したスライド部材５２のガイドピン５２ａを摺動自在に案内するスリット８３ａを形成したガイド８３と、ガイド８３に回転自在に軸支されたＬ字状のフック部材８２と、フック部材８２を図２及び図３（ｂ）において反時計回り方向に回動するよう付勢するスプリング８４と、フック部材８２を鎖線位置に固定するための留め具（この留め具はテスト等のためだけに使用される）８６とから構成されており、フック部材８２の一端近傍は電磁ソレノイドＳ１の可動部７１と連結され、その他端近傍にはスライド部材５２の係止ピン５２ｂを係止可能な鉤部８２ａが付設されている。また、スライド部材５２のスライド板５２ｃの先端位置には、マイクロスイッチＭ１が配置されており、スライド部材５２の係止ピン５２ｂがフック部材８２の鉤部８２ａに係止される復帰位置（図２及び図３（ｂ）において実線で示す位置）に近づいたとき、マイクロスイッチＭ１がオン作動するようになっている。
【００２２】
また、マイクロスイッチＭ１がオン作動し、電磁ソレノイドＳ１に通電されると、スプリング８４の収縮力に抗して可動部７１は瞬時にオン位置に移動し、フック部材８２は図２及び図３（ｂ）において時計回り方向に回動する。その結果、フック部材８２の鉤部８２ａがスライド部材５２の係止ピン５２ｂから離脱する。そして、フック部材８２の鉤部８２ａがスライド部材５２の係止ピン５２ｂから離脱すると、弁体４は、重錘４３により、供給本管３２の基端開口部、すなわち取出口２ａを閉鎖するように回動する。
【００２３】
また、地震により貯液槽２外に配設された供給本管３２や機器などが破損して液体の流出が生じた場合には、そのとき直ちに貯液槽２内の液圧が取出口２ａを閉鎖している弁体４に作用して、弁体４を閉鎖位置に強く押圧し、確実に止水する。この場合、ロッド５１が連結されたスライド部材５２のガイドピン５２ａは、ガイド８３のスリット８３ａに沿って弁体４の回動範囲に相当する距離だけ図２及び図３（ｂ）において左方向に摺動する。
【００２４】
制御盤９は、上述した地震感知器６からの感知信号を受けてポンプ３１への通電を遮断する一方、電磁ソレノイドＳ１への通電を行い、警報ランプ９１を点灯させるとともに、警報ブザー９２を発鳴させるものである。ここに、９３は、停電用蓄電池であり、たとえ停電時に地震や余震が起こったとしても、電磁ソレノイドＳ１の可動部７１をオン位置に移動させ、フック部材８２の鉤部８２ａをスライド部材５２の係止ピン５２ｂから離脱させることができるようになっている。なお、蓄電するものであれば、どのようなものでも使用することができる。
【００２５】
制御盤９は、３つのリレーＲ１，Ｒ２，Ｒ３と３つのタイマーリレーＴＲ１，ＴＲ２，ＴＲ３とを備えており、マイクロスイッチＭ１の出力がタイマーリレーＴＲ３を介して電磁ソレノイドＳ３に導かれているとともに、タイマーリレーＴＲ１及びリレーＲ１を介して電磁ソレノイドＳ１に導かれている。また、マイクロスイッチＭ２の出力がタイマーリレーＴＲ３を介して電磁ソレノイドＳ３に導かれているとともに、タイマーリレーＴＲ２及びリレーＲ２を介して電磁ソレノイドＳ２に導かれている。また、マイクロスイッチＭ３の出力がリレーＲ３を介して電磁ソレノイドＳ１及びＳ２に導かれており、リレーＲ１及びＲ２の出力が警報ランプ９１及び警報ブザー９２に導かれた構成となっている。
【００２６】
すなわち、タイマーリレーＴＲ３は、マイクロスイッチＭ１からの信号を受けて電磁ソレノイドＳ３をオン作動するとともに、電磁ソレノイドＳ３によって地震感知体６１を吸着し、永久磁石６７に吸着させるまでの一定時間ａ経過後に、電磁ソレノイドＳ３をオフ作動する。また、タイマーリレーＴＲ１は、マイクロスイッチＭ１からの信号を受けると電磁ソレノイドＳ１をオン作動し、スライド部材５２の係止ピン５２ｂがフック部材８２の鉤部８２ａと係止可能な位置に確実に来るまでの一定時間ｂをカウントした後、リレーＲ１を介して電磁ソレノイドＳ１をオフ作動する。また、タイマーリレーＴＲ２もタイマーリレーＴＲ１と同様に、マイクロスイッチＭ２からの信号を受けると電磁ソレノイドＳ２をオン作動し、スライド部材５２の係止ピン５２ｂがフック部材８２の鉤部８２ａと係止可能な位置に確実に来るまでの一定時間ｂをカウントした後、リレーＲ２を介して電磁ソレノイドＳ２をオフ作動する。なお、Ｌ１，Ｌ２は制御盤面に付設された作動表示ランプである。
【００２７】
次に、この緊急遮断装置１の作動について説明する。ただし、２槽式の貯液槽２，２のそれぞれに取り付けられた緊急遮断装置の係脱機構８，８は、いずれも同じ動作であるため、以下の説明においては、主として、図１中手前側に示した係脱機構８の作動について述べることとし、貯液槽の緊急遮断装置１について説明する。
【００２８】
通常、電磁ソレノイドＳ１は、制御盤９によって通電が遮断されており、その可動部７１はオフ位置にある。このため、フック部材８２は、スプリング８４の収縮力によって図２及び図３（ｂ）において反時計回りに回動するよう付勢されている。この場合、フック部材８２の鉤部８２ａは、スライド部材５２の係止ピン５２ｂを係止してスライド部材５２の摺動を規制している。このため、スライド部材５２に連結されたロッド５１により、弁体４と一体のアーム４２は引っ張られ、弁体４は貯液槽２の取出口２ａを開放する位置に引き上げられている。
【００２９】
また、主弁３４は通常開放されており、制御盤９を通してポンプ３１を駆動すると、貯液槽２内の液体は高架水槽などへ送水される。さらに、復帰弁３６およびエア抜き弁３７は閉鎖されている。
【００３０】
ここで、設定加速度以上の地震（余震）が発生した場合、地震感知器６の地震感知体６１が永久磁石６７から離脱し、マイクロスイッチＭ３をオン作動して、感知信号を制御盤９に出力する。地震感知器６からの感知信号を受けた制御盤９は、ポンプ３１への通電を遮断するとともに、電磁ソレノイドＳ１への通電を行う。
【００３１】
電磁ソレノイドＳ１に通電されると、スプリング８４の収縮力に抗して可動部７１は瞬時にオン位置に移動し、フック部材８２を図２及び図３（ｂ）において時計回り方向に回動させる。フック部材８２が回動すると、フック部材８２の鉤部８２ａがスライド部材５２の係止ピン５２ｂから離脱し、その結果、スライド部材５２の規制は解除される。この際、弁体４は、重錘４３によって貯液槽２の取出口２ａを閉鎖する方向に回動する。この弁体４の回動により、弁体４に連結されたロッド５１が引っ張られてスライド部材５２がガイド８３のスリット８３ａに沿って摺動する。こうして、弁体４は貯液槽２の取出口２ａを閉鎖する。なお、このときのロッド５１及びスライド部材５２の位置が、請求項１に記載の遮断位置である。また、スライド部材５２がガイド８３のスリット８３ａに沿って摺動して、マイクロスイッチＭ１とスライド部材５２のスライド板５２ｃとの接触が解除されることにより、警報ランプ９１が点灯し、警報ブザーが発鳴するようになされている。
【００３２】
また、地震（余震）により貯液槽２外に配設された供給本管３２や機器などが破損して液体の流出が生じた場合には、そのとき直ちに貯液槽２内の液圧が取出口２ａを閉鎖している弁体４に作用して、弁体４を閉鎖位置に強く押圧する結果、貯液槽２内に貯留された液体の流出が確実に防止される。
【００３３】
このように、貯液槽２に接続された供給管３が破損しても、貯液槽２が破損しない限り貯液槽２に貯留された液体を確保することができる。例えば、仮に、主弁３４の上流側と貯液槽２とを接続する供給本管３２が破損した場合であっても、上述したように、弁体４が貯液槽２の取出口２ａをパッキン４１を介して密封することから、その破損箇所を通して液体が流出することはない。ただし、主弁３４の上流側と貯液槽２とを接続する供給本管３２が破損すると、貯液槽２にも被害が波及して亀裂などが生じ、液体の流出が起こり易いので、こうした事故が生じないように主弁３４近傍の下流側にフレキシブルチューブ３３を設けておくことが望ましい。
【００３４】
ところで、供給本管３２や機器などが破損して、貯液槽２内の液圧が弁体４を閉鎖位置に強く押圧している場合には、この弁体４を閉鎖位置から引き離すことが甚だ困難であるため、貯液槽２内に貯留された飲料水などの液体をとりだすことが容易でない。
【００３５】
そこで、貯液槽２に貯留された飲料水などを取り出す場合は、主弁３４を閉鎖した後、エア抜き弁３７を開放するとともに、復帰弁３６を開放し、貯液槽２内の液体を連通管３５を通して供給本管３２における主弁３４の上流側に導き、弁体４の内外に加わる液圧を同圧にして、弁体４を回動自在とする。この後、エア抜き弁３７を閉鎖する。もっとも、復帰弁３６を開放して貯液槽２内の液体を供給本管３２に導けば、空気は圧縮されて弁体４の内外に加わる液圧が同圧となることから、エア抜き弁３７は必ずしも必要でない。
【００３６】
地震後、ロッド５１を引っ張って取出口２ａを開放する方向に弁体４を回動させると、スライド部材５２がガイド８３のスリット８３ａに沿って復帰位置側に摺動する。そして、スライド部材５２の係止ピン５２ｂがフック部材８２の鉤部８２ａに係止される復帰位置に近づくと、スライド部材５２のスライド板５２ｃがマイクロスイッチＭ１に接触し、マイクロスイッチＭ１がオン作動する。制御盤９は、このマイクロスイッチＭ１の信号を受けてタイマーリレーＴＲ１のタイマーカウントを開始するとともに、電磁ソレノイドＳ１をオン作動し、スプリング８４の収縮力に抗して可動部７１を瞬時にオン位置に移動させる。これにより、フック部材８２は図２及び図３（ｂ）において時計回り方向に回動することから、スライド部材５２の係止ピン５２ｂは、フック部材８２の鉤部８２ａに邪魔されることなく、復帰位置までスムーズに移動することができる。
【００３７】
そして、タイマーリレーＴＲ１は一定時間ｂをカウントした後、リレーＲ１を介して電磁ソレノイドＳ１をオフ作動する。すると、フック部材８２がスプリング８４の収縮力によって反時計回り方向に回動し、フック部材８２の鉤部８２ａがスライド部材５２の係止ピン５２ｂを係止し、スライド部材５２の摺動は規制される。これにより、弁体４は取出口２ａの開放位置に保持される。
【００３８】
一方、制御盤９は、マイクロスイッチＭ１の信号を受けてタイマーリレーＴＲ３のタイマーカウントを開始するとともに、電磁ソレノイドＳ３をオン作動する。ここに、電磁ソレノイドＳ３は、地震感知体６１を引き上げ、地震感知体６１を永久磁石６７に吸着させる。そして、タイマーリレーＴＲ３は、一定時間ａをカウントした後、電磁ソレノイドＳ３をオフ作動する。こうして、永久磁石６７によってのみ地震感知体６１が垂下され、地震感知待機状態に復帰する。
【００３９】
すなわち、スライド部材５２を摺動させて弁体４を開放する動作に連動して、地震感知器６を地震感知待機状態に確実に復帰できるので、スライド部材５２を復帰位置まで摺動させたものの、地震感知体６を地震感知待機状態にしておくのを忘れた、といった事態が発生しない。
【００４０】
この後、復帰弁３６を閉鎖し、主弁３４を開放する。この結果、供給本管３２および主弁３４を通して貯液槽２内の液体を供給することができる。すなわち、主弁３４の下流側において、供給本管３２の任意の接続部を離脱すれば、その供給本管３２の接続部から液体を取り出すことができる。また、供給本管３２の破損箇所から液体を取り出すこともできる。
【００４１】
なお、上述したように、主弁３４の上流側と貯液槽２間の供給本管３２が破損した場合には、弁体４を閉鎖した状態のままとし、復帰弁３６を開放することにより、連通管３５および供給本管３２の破損箇所を通して液体を得ることができる。なお、復帰弁３６が配設されていない場合であっても、貯液槽２のマンホールから汲み出すことができる。また、貯液槽２の底部に設けられている排水弁（図示省略）を開放することによって取水することもできる。
【００４２】
次に、本発明の貯液槽の緊急遮断装置１の第２実施形態について、図４を参照して説明する。
【００４３】
上述した第１実施形態では、フック部材８２はスプリング８４の収縮力によって反時計回り方向に回動するように付勢され、電磁ソレノイドＳ１は通常オフ作動とされ、地震が発生した時のみ電磁ソレノイドＳ１をオン作動させ、フック部材８２をスプリング８４の収縮力に抗して時計回り方向に回動させるような構成としているが、これとは逆の作用となるように図４に示すような構成であってもよい。すなわち、フック部材８２はスプリング８４の収縮力によって時計回り方向に回動するように付勢され、電磁ソレノイドＳ１は通常オン作動とされ、フック部材８２はスプリング８４の収縮力に抗して反時計回り方向に回動され、地震が発生した時のみ電磁ソレノイドＳ１をオフ作動させ、フック部材８２をスプリング８４の収縮力によって時計回り方向に回動させるような構成としてもよい。
【００４４】
なお、図中の符号８５は、スプリング８４によるフック部材８２の回動範囲を規制するストッパである。その他については上述した第１実施形態のものとほぼ同一である。したがって、これら以外の説明は省略する。
【００４５】
次に、本発明の貯液槽の緊急遮断装置１の第３実施形態について、図５を参照して説明する。この実施形態においては、貯液槽２として建屋の屋上などに設置される高置水槽が例示されている他、弁体４に連結された連結具５及びこの連結具５を電磁ソレノイドＳ１に連係する係脱機構８、及び地震感知器６の構造が異なっているが、その他については上述した実施形態とほぼ同一である。したがって、これら以外の説明は省略する。
【００４６】
貯液槽２は、揚水ポンプ３１１を設けた揚水管２２を介して図示しない受水槽と接続されており、貯液槽２の上部には、オーバーフロー管２３が取り付けられている。また、貯液槽２には、貯留された液体の液位を検出するため、５本の電極棒からなるセンサ２４が設けられており、このセンサ２４によって設定された水位が検出されると、制御盤９を介して揚水ポンプ３１１を作動もしくは停止させ、水位の異常を感知した時には警報ランプ９１を点灯させるとともに、警報ブザー９２を発鳴させるようになっている。
【００４７】
すなわち、貯液槽２に貯留される液体の液位は、通常、設定された範囲内で変動している。例えば、液体が消費されることによって貯液槽２内の液位がローレベルＬに低下すると、その液位をセンサ２４が検出して揚水ポンプ３１１を作動させ、受水槽内の液体を揚水管２２を介して貯液槽２内に供給する。また、貯液槽２内の液位が上昇してハイレベルＨに達すると、その液位をセンサ２４が検出して揚水ポンプ３１１の作動を停止させる。しかし、異常を生じて、液位がレベルＬ’に低下した場合、あるいは液位がレベルＨ’に上昇した場合には、警報ランプ９１を点灯させるとともに、警報ブザー９２を発鳴させるようになされている。
【００４８】
また、この第３実施形態における緊急遮断装置１の連結具５は、弁体４に連結されて上方に延出されたワイヤー５３と、このワイヤー５３に貯液槽２の上方において一端が連結されたロッド５１とからなり、このロッド５１は、貯液槽２の上部側壁を貫通して外部に引き出されている。また、ロッド５１には係止部５１ａが付設されている。
【００４９】
また、係脱機構８は、ベース８１に基端が回動自在に軸支され、先端が係止部８２ｄとされた係止レバー８２ｃと、この係止レバー８２ｃを反時計回り方向に回動するよう引っ張る連結部材Ｒとから構成され、連結部材Ｒの他端は電磁ソレノイドＳ１の可動部７１に連結されている。
【００５０】
通常、電磁ソレノイドＳ１はオフ状態となっており、可動部７１が下方に位置し、連結部材Ｒ及び係止レバー８２ｃを下方に押し下げ、係止レバー８２ｃの係止部８２ｄがロッド５１の係止部５１ａを右方に押しつけて保持し、弁体４を上方に引き上げている。
【００５１】
また、ベース８１には、係止部５１ａが遮断位置（図５において鎖線位置）から復帰位置（図５において実線位置）まで移動する途中にマイクロスイッチＭ１が配置されており、ロッド５１が遮断位置から復帰位置へ移動する際、係止部５１ａが接触することによって、マイクロスイッチＭ１がオン作動するようになっている。
【００５２】
また、地震感知器６は、ケース６３内に配置された永久磁石６７に地震感知体６１を吸着させ、設定加速度以上の地震（余震）が発生した際、地震感知体６１を永久磁石６７から離脱させて地震を感知する。そして、地震感知体６１が永久磁石６７から離脱した際、地震感知体６１の下部に配置されたマイクロスイッチＭ３がオン作動して、制御盤９に感知信号を出力する。そのため、地震感知体６１とマイクロスイッチＭ３とは筒形状の枠体６２内において上下に対向して配置されており、地震感知体６１はこの枠体６２内を上下動するようになされている。
【００５３】
また、永久磁石６７を囲むようにして配置された電磁石の一形態である電磁ソレノイドＳ３をオン作動させることにより、永久磁石６７から離脱した地震感知体６１を吸引して引き上げ、再び永久磁石６７に吸着（すなわち、地震感知位置に復帰）させることができる。その後、電磁ソレノイドＳ３をオフ作動させることによって、地震感知器６は再び地震感知待機状態に復帰する。
【００５４】
ここで、設定加速度以上の地震（余震）が発生した場合、地震感知器６の地震感知体６１が永久磁石６７から離脱し、マイクロスイッチＭ３がオン作動して、感知信号が制御盤９に出力される。地震感知器６からの感知信号を受けた制御盤９は、揚水ポンプ３１１への通電を遮断するとともに、電磁ソレノイドＳ１への通電を行い、同時に警報ランプ９１を点灯させ、警報ブザー９２を発鳴させる。
【００５５】
また、電磁ソレノイドＳ１への通電が行われると、電磁ソレノイドＳ１の可動部７１は瞬時にオン位置に移動し、連結部材Ｒを上方に引き上げ、係止レバー８２ｃを反時計回り方向に回動させる。すると、係止レバー８２ｃの係止部８２ｄはロッド５１の係止部５１ａから離脱する。その結果、弁体４は、重錘４３により、供給本管３２の基端開口部、すなわち取出口２ａを閉鎖するように回動する。なお、弁体４が重錘４３によって回動する回動範囲に相当する距離分だけ、弁体４に連結されたワイヤー５３及びロッド５１を引っ張ることになる。
【００５６】
また、地震（余震）により貯液槽２外に配設された供給本管３２や機器などが破損して液体の流出が生じた場合には、そのとき直ちに貯液槽２内の液圧が取出口２ａを閉鎖している弁体４に作用して、弁体４を閉鎖位置に強く押圧し、確実に止水する。
【００５７】
また、貯液槽２に貯留された飲料水などを取り出す場合や、弁体４を引き上げて通常運転を再開したい場合には、ロッド５１を右方に引っ張って、係止レバー８２ｃの係止部８２ｄをロッド５１の係止部５１ａに係止させる。このとき、ロッド５１を引っ張って取出口２ａを開放する方向に弁体４を回動させると、ロッド５１が遮断位置から復帰位置へ移動し、このとき係止部５１ａがマイクロスイッチＭ１に接触して、マイクロスイッチＭ１がオン作動する。制御盤９は、このマイクロスイッチＭ１の信号を受けてタイマーリレーＴＲ１のタイマーカウントを開始するとともに、電磁ソレノイドＳ１をオン作動する。これにより、電磁ソレノイドＳ１の可動部７１は瞬時にオン位置に移動し、連結部材Ｒを上方に引き上げ、係止レバー８２ｃを反時計回り方向に回動させる。そのため、ロッド５１の係止部５１ａは、係止レバー８２ｃの係止部８２ｄに邪魔されることなく、復帰位置までスムーズに移動することができる。
【００５８】
そして、タイマーリレーＴＲ１は一定時間ｂをカウントした後、リレーＲ１を介して電磁ソレノイドＳ１をオフ作動する。すると、係止レバー８２ｃが時計回り方向に回動し、係止レバー８２ｃの係止部８２ｄがロッド５１の係止部５１ａを係止し、ロッド５１の摺動は規制される。これにより、弁体４は取出口２ａの開放位置に保持される。
【００５９】
一方、制御盤９は、マイクロスイッチＭ１の信号を受けてタイマーリレーＴＲ３のタイマーカウントを開始するとともに、電磁ソレノイドＳ３をオン作動する。ここに、電磁ソレノイドＳ３は、地震感知体６１を引き上げ、地震感知体６１を永久磁石６７に吸着させる。そして、タイマーリレーＴＲ３は、一定時間ａをカウントした後、電磁ソレノイドＳ３をオフ作動する。こうして、永久磁石６７によってのみ地震感知体６１が垂下され、地震感知待機状態に復帰する。
【００６０】
次に、本発明の貯液槽の緊急遮断装置１の第４実施形態について、図６を参照して説明する。なお、第４実施形態及び以下の実施形態においては、第１実施形態と同一部材には同一符号を用いることとする。
【００６１】
この実施形態における緊急遮断装置１の場合、貯液槽２の側壁下部に取出口２ａが開口しており、この取出口２ａの外側に供給管３を構成する供給本管３２の基端が接続されている。また、取出口２ａの内側には、受け座２５が取り付けられ、この受け座２５には、パッキン２６が付設されている。また、その上部には、弁体４が回動自在に軸支されている。また、弁体４には、連結具５としてのワイヤー５３の一端が連結され、このワイヤー５３の他端は、貯液槽２の側壁上方から外部に引き出された後、下方に導かれており、その先端に係止部５２ｄを有するスライド部材５２が連結されている。
【００６２】
一方、係脱機構８は、ベース８１に略中央部が軸支され、上端に鉤部８２ａを有するとともに下端にアーム８２ｅを有するフック部材８２と、上述の係止部５２ｄを有するスライド部材５２と、スプリング８４と、電磁ソレノイドＳ１とから構成されている。そして、通常はフック部材８２の鉤部８２ａとスライド部材５２の係止部５２ｄとは係止されており（図６において鎖線位置）、この係止を解除する方向に付勢するスプリング８４の付勢力に抗して、電磁ソレノイドＳ１がフック部材８２のアーム８２ｅを引き寄せ（図６において鎖線位置）、その係止位置に吸着保持している。
【００６３】
また、ベース８１には、フック部材８２の近傍にマイクロスイッチＭ１が配置されており、フック部材８２の鉤部８２ａがスライド部材５２の係止部５２ｄから解除された状態の位置（図６において実線位置）から、フック部材８２の鉤部８２ａがスライド部材５２の係止部５２ｄに係止された状態の位置（図６において鎖線位置）まで時計回り方向に回動する際、アーム８２ｅがマイクロスイッチＭ１に接触することによって、マイクロスイッチＭ１がオン作動するようになっている。
【００６４】
また、地震感知器６は、ケース６３内に配置された永久磁石６７に地震感知体６１を吸着させ、設定加速度以上の地震（余震）が発生した際、地震感知体６１を永久磁石６７から離脱させて地震を感知する。そして、地震感知体６１が永久磁石６７から離脱した際、地震感知体６１に連結されたアーム６８が下方に回動し、地震感知体６１の下部に片持ち状に配置されたアーム６９が、地震感知体６１の重みによって下方に回動し、そのアーム６９の回動先端位置に配置されたマイクロスイッチＭ３がオン作動して、制御盤９に感知信号を出力する。また、アーム６９はスプリング６９ａによって下方から支持されており、地震感知体６１が上方に引き上げられたときには、元の水平位置まで回動復帰するようになっている。
【００６５】
また、永久磁石６７を囲むようにして配置された電磁石の一形態である電磁ソレノイドＳ３をオン作動させることにより、永久磁石６７から離脱した地震感知体６１を吸引して引き上げ、再び永久磁石６７に吸着（すなわち、地震感知位置に復帰）させることができる。その後、電磁ソレノイドＳ３をオフ作動させることによって、地震感知器６は再び地震感知待機状態に復帰する。
【００６６】
ここで、設定加速度以上の地震（余震）が発生した場合、地震感知器６の地震感知体６１が永久磁石６７から離脱し、マイクロスイッチＭ３がオン作動して、感知信号が制御盤９に出力される。地震感知器６からの感知信号を受けた制御盤９は、電磁ソレノイドＳ１への通電を遮断する。電磁ソレノイドＳ１への通電が断たれると、磁力が消失する結果、スプリング８４は、その押圧力によってフック部材８２を図６において反時計回り方向に回動させ、その鉤部８２ａをスライド部材５２の係止部５２ｄから離脱させる。すると、スライド部材５２とワイヤー５３を介して連結されている弁体４は、その自重によって貯液槽２の取出口２ａを閉鎖する方向に回動し、受け座２５に着座して貯液槽２の取出口２ａを閉鎖する。また、地震（余震）により貯液槽２外に配設された供給本管３２や機器などが破損して液体の流出が生じた場合には、そのとき直ちに貯液槽２内の液圧が取出口２ａを閉鎖している弁体４に作用して、弁体４を受け座２５と密着するように強く押圧し、液体の流出を確実に防止する。
【００６７】
一方、貯液槽２に貯留された液体を取り出す場合は、主弁３４を閉鎖するとともに、復帰弁３６を開放することにより、供給本管３２における主弁３４の上流側の液圧と貯液槽２内の液圧とを同圧にする。
【００６８】
次いで、連結具５（スライド部材５２もしくはワイヤー５３）を引っ張って、弁体４を取出口２ａの開放位置（図６において鎖線位置）に回動させて受け座２５から離脱させ、フック部材８２の鉤部８２ａをスライド部材５２の係止部５２ｄに手動で係止する。このとき、フック部材８２が時計回り方向に回動し、アーム８２ｅがマイクロスイッチＭ１に接触して、マイクロスイッチＭ１がオン作動する。制御盤９は、このマイクロスイッチＭ１の信号を受けると、リレーＲ５を介して電磁ソレノイドＳ１をオン作動する。これにより、係止を解除する方向に付勢するスプリング８４の付勢力に抗して、電磁ソレノイドＳ１がフック部材８２のアーム８２ｅを引き寄せ（図６において鎖線位置）、フック部材８２を係止位置に吸着保持する。
【００６９】
一方、制御盤９は、マイクロスイッチＭ１の信号を受けてタイマーリレーＴＲ３のタイマーカウントを開始するとともに、電磁ソレノイドＳ３をオン作動する。ここに、電磁ソレノイドＳ３は、地震感知体６１を引き上げ、地震感知体６１を永久磁石６７に吸着させる。そして、タイマーリレーＴＲ３は、一定時間ａをカウントした後、電磁ソレノイドＳ３をオフ作動する。こうして、永久磁石６７によってのみ地震感知体６１が垂下され、地震感知待機状態に復帰する。その後、復帰弁３６を閉鎖し、主弁３４を開放すれば、供給本管３２を通して貯液槽２の液体を取り出すことができる。
【００７０】
もっとも、弁体４が取出口２ａを閉鎖した状態のまま、主弁３４及び復帰弁３６を開として、貯液槽２内の液体を連通管３５を通して供給本管３２から取り出すこともできる。
【００７１】
次に、本発明の貯液槽の緊急遮断装置１の第５実施形態について、図７を参照して説明する。
【００７２】
この第５実施形態における緊急遮断装置１の場合、貯液槽２の側壁下部に開口２ｘが形成され、この開口２ｘの外側に供給管３の基端が接続され、また、開口２ｘの内側には、Ｌ字状の供給管３が接続されており、このＬ字状の供給管３の一端開口が貯液槽２の取出口２ａに形成されている。そして、取出口２ａには、パッキン４１を設けた弁体４が回動自在に軸支されている。また、弁体４には、連結具５としてのワイヤー５３の一端が連結されており、このワイヤー５３は、貯液槽２の上方に延出されて貯液槽２の天井壁から外部に引き出された後、後述する係脱機構８の係止位置へ案内されており、その他端に係止ピン５３ａが付設されている。さらに、復帰弁３４は、上述の開口２ｘの内側に接続されたＬ字状の供給管３に直接設けられ、貯液槽２の外側に設けたハンドル３６ａの回動操作によって開閉できるように構成されている。
【００７３】
また、係脱機構８は、先端に鉤部８２ｆを形成してベース８１に固定されたフック部材８２と、このフック部材８２の鉤部８２ｆと協同して上述した係止ピン５３ａを把持できるように、一端に鉤部７５ａが形成されるとともに、他端（先端）に鉤型部７５ｂが形成されてフック部材８２に回動自在に軸支されたアーム７５と、このアーム７５の鉤部７５ａをフック部材８２の鉤部８２ｆから開放する方向に付勢するスプリング７４と、電磁ソレノイドＳ１とから構成されている。そして、通常、アーム７５は電磁ソレノイドＳ１によって吸着されており（図７において実線位置）、スプリング７４の付勢力（収縮力）に抗してその鉤部７５ａが閉じる方向に保持されている。すなわち、フック部材８２の鉤部８２ｆと協同して係止ピン５３ａを把持するように、把持部材７５の鉤部７５ａを閉じている。この際、アーム７５は、ベース８１に固定された電磁ソレノイドＳ１に当接されてそれ以上の回動が規制されている。
【００７４】
また、ベース８１には、アーム７５の先端部近傍にマイクロスイッチＭ１が配置されており、アーム７５が電磁ソレノイドＳ１から離脱した位置（図７において鎖線位置）から、電磁ソレノイドＳ１に吸着される位置（図７において実線位置）まで時計回り方向に回動する際、アーム７５の鉤型部７５ｂがマイクロスイッチＭ１に接触することによって、マイクロスイッチＭ１がオン作動するようになっている。
【００７５】
また、地震感知器６は、ケース６３内に配置された永久磁石６７に地震感知体６１を吸着させ、設定加速度以上の地震（余震）が発生した際、地震感知体６１を永久磁石６７から離脱させて地震を感知する。そして、地震感知体６１が永久磁石６７から離脱した際、地震感知体６１に連結されたアーム６８が下方に回動し、このアーム６８の回動先端位置に配置されたマイクロスイッチＭ３がオン作動して、制御盤９に感知信号を出力する。
【００７６】
また、永久磁石６７を囲むようにして配置された電磁石の一形態である電磁ソレノイドＳ３をオン作動させることにより、永久磁石６７から離脱した地震感知体６１を吸引して引き上げ、再び永久磁石６７に吸着（すなわち、地震感知位置に復帰）させることができる。その後、電磁ソレノイドＳ３をオフ作動させることによって、地震感知器６は再び地震感知待機状態に復帰する。
【００７７】
ここで、設定加速度以上の地震が発生した場合、地震感知器６の地震感知体６１が永久磁石６７から離脱し、マイクロスイッチＭ３がオン作動して、感知信号が制御盤９に出力される。地震感知器６からの感知信号を受けた制御盤９は、電磁ソレノイドＳ１への通電を遮断する。電磁ソレノイドＳ１への通電が断たれると、磁力が消失する結果、スプリング７４は、その収縮力によってアーム７５を図７において反時計回り方向に回動させる。この結果、アーム７５の鉤部７５ａとフック部材８２の鉤部８２ｆとによる係止ピン５３ａの把持が解除される。このため、係止ピン５３ａを有するワイヤー５３に連結されている弁体４は、その自重によって貯液槽２の取出口２ａを閉鎖する方向に回動する。また、地震により貯液槽２外に配設された供給管３や機器などが破損して液体の流出が生じた場合には、そのとき直ちに貯液槽２内の液圧が取出口２ａを閉鎖している弁体４に作用して、弁体４を閉鎖位置に強く押圧し、確実に止水する。このため、貯液槽２の外側に接続された供給管３が破損しても、貯液槽２が破損しない限り貯液槽２の液体を確保することができる。
【００７８】
一方、貯液槽２に貯留された液体を取り出す場合は、主弁３４を閉鎖し、ハンドル３６ａを回動操作して復帰弁３６を開放し、供給管３の主弁３４の上流側の液圧と貯液槽２の液圧とを同圧にする。次いで、ワイヤー５３を引っ張ることにより、弁体４を回動させて取出口２ａを開放させた後、手動で係止ピン５３ａをフック部材８２の鉤部８２ｆとアーム７５の鉤部７５ａとによって把持させる。このとき、アーム７５が時計回り方向に回動し、アーム７５の鉤型部７５ｂがマイクロスイッチＭ１に接触して、マイクロスイッチＭ１がオン作動する。制御盤９は、このマイクロスイッチＭ１の信号を受けると、リレーＲ６を介して電磁ソレノイドＳ１をオン作動する。これにより、把持を解除する方向に付勢するスプリング７４の収縮力に抗して、電磁ソレノイドＳ１がアーム７５を引き寄せ（図７において実線位置）、アーム７５を把持位置に吸着保持する。
【００７９】
一方、制御盤９は、マイクロスイッチＭ１の信号を受けてタイマーリレーＴＲ３のタイマーカウントを開始するとともに、電磁ソレノイドＳ３をオン作動する。ここに、電磁ソレノイドＳ３は地震感知体６１を引き上げ、地震感知体６１を永久磁石６７に吸着させる。そして、タイマーリレーＴＲ３は、一定時間ａをカウントした後、電磁ソレノイドＳ３をオフ作動する。こうして、永久磁石６７によってのみ地震感知体６１が垂下され、地震感知待機状態に復帰する。その後、復帰弁３６を閉鎖し、主弁３４を開放すれば、供給本管３２を通して貯液槽２の液体を取り出すことができる。
【００８０】
次に、本発明の貯液槽の緊急遮断装置１の第６実施形態について、図８を参照して説明する。
【００８１】
この第６実施形態における緊急遮断装置１の場合、貯液槽２の側壁下部に開口２ｘが形成され、この開口２ｘの外側に供給管３の基端が接続され、また、開口２ｘの内側には、Ｌ字状の供給管３が接続されており、このＬ字状の供給管３の一端が下向きに開口しており、この開口部が貯液槽２の取出口２ａとされている。
【００８２】
そして、取出口２ａの近傍には軸受け部３ｘが設けられ、この軸受け部３ｘにアーム４２と弁４ａとを一体的に設けた弁体４が回動自在に取り付けられており、アーム４２と弁４ａとの間に軸受け部３ｘがあるように構成されている。また、アーム４２の先端部に重錘４２１が取り付けられている。
【００８３】
また、重錘４２１には、連結具５としてのワイヤー５３の一端が連結され、このワイヤー５３の他端は、貯液槽２の側壁上部から外部に引き出された後、下方に導かれ、その先端にリング５３ｂが連結されている。
【００８４】
係脱機構８は、ベース８１に固定された台座７６に略中央部が回動自在に軸支され、先端が鉤部８２ｇとされたＬ字状のフック部材８２と、このフック部材８２を図８において時計回り方向に回動するように付勢するスプリング８４と、電磁ソレノイドＳ１とから構成されている。また、フック部材８２の鉤部８２ｇが台座７６に形成された穴７６ｂを貫通してリング５３ｂに係止可能な構造とされている。通常、フック部材８２は電磁ソレノイドＳ１によって吸着されており（図８において実線位置）、スプリング８４の付勢力（収縮力）に抗して反時計回り方向に引き上げられ保持されている。そして、フック部材８２の鉤部８２ｇは台座７６に形成された穴７６ｂを貫通してリング５３ｂに係止されている（図８において実線位置）。
【００８５】
また、ベース８１には、フック部材８２の他端部近傍にマイクロスイッチＭ１が配置されている。そして、フック部材８２の他端部が電磁ソレノイドＳ１から離脱した位置（図８において鎖線位置）から、フック部材８２の他端部が電磁ソレノイドＳ１に吸着されている位置（図８において実線位置）まで反時計回り方向に回動する際、フック部材８２の他端部がマイクロスイッチＭ１に接触することによって、マイクロスイッチＭ１がオン作動するようになっている。なお、地震感知器６及び制御盤９については図示を省略しているが、ここでは図７に示すものと同様のものとして、以下説明する。
【００８６】
ここに、設定加速度以上の地震が発生した場合、地震感知器６の地震感知体６１が永久磁石６７から離脱し、マイクロスイッチＭ３がオン作動して、感知信号が制御盤９に出力される。地震感知器６からの感知信号を受けた制御盤９は、電磁ソレノイドＳ１への通電を遮断する。電磁ソレノイドＳ１への通電が断たれると、磁力が消失する結果、スプリング８４は、その収縮力によってフック部材８２の他端部を図８において時計回り方向に回動させる。この結果、フック部材８２の鉤部８２ｇがリング５３ｂから離脱し、ワイヤー５３に連結されている弁体４は、重錘４２１によって貯液槽２の取出口２ａを閉鎖する方向に回動する。また、地震により貯液槽２外に配設された供給管３や機器などが破損して液体の流出が生じた場合には、そのとき直ちに貯液槽２内の液圧が取出口２ａを閉鎖している弁体４に作用して、弁体４を閉鎖位置に強く押圧し、確実に止水する。このため、貯液槽２の外側に接続された供給管３が破損しても、貯液槽２が破損しない限り貯液槽２の液体を確保することができる。
【００８７】
一方、貯液槽２に貯留された液体を取り出す場合は、主弁３４を閉鎖し、ハンドル３６ａを回動操作して復帰弁３６を開放し、供給管３の主弁３４の上流側の液圧と貯液槽２の液圧とを同圧にする。次いで、ワイヤー５３を引っ張ることにより、弁体４を回動させて取出口２ａを開放させた後、手動でフック部材８２の鉤部８２ｇを台座７６に形成された穴７６ｂに貫通させ、リング５３ｂに係止させる。このとき、フック部材８２が反時計回り方向に回動し、フック部材８２の他端部がマイクロスイッチＭ１に接触して、マイクロスイッチＭ１がオン作動する。制御盤９は、このマイクロスイッチＭ１の信号を受けると、図示しないリレーを介して電磁ソレノイドＳ１をオン作動する。また、制御盤９は、このマイクロスイッチＭ１の信号を受けると、図示しないタイマーリレーのタイマーカウントを開始するとともに、電磁ソレノイドＳ３をオン作動する。ここに、電磁ソレノイドＳ３は地震感知体６１を引き上げ、地震感知体６１を永久磁石６７に吸着させる。そして、タイマーリレーは、一定時間ａをカウントした後、電磁ソレノイドＳ３をオフ作動する。こうして、永久磁石６７によってのみ地震感知体６１が垂下され、地震感知待機状態に復帰する。その後、復帰弁３６を閉鎖し、主弁３４を開放すれば、供給本管３２を通して貯液槽２の液体を取り出すことができる。
【００８８】
なお、上記の各実施形態では、フック部材８２、係止レバー８２ｃ及びアーム７５の回動を検知するスイッチとして、それぞれマイクロスイッチＭ１を用いているが、リミットスイッチ等であってもよい。
【００８９】
【発明の効果】
本発明の請求項１記載の貯液槽の緊急遮断装置は、飲料水などの液体を貯留する貯液槽と、この貯液槽の下部において開口する取出口と、この取出口に連通する供給管と、取出口を開閉する弁体と、この弁体に連結された連結具と、設定加速度以上の地震を感知して作動する地震感知器と、弁体が取出口を開いた状態にあるときの連結具の位置を復帰位置、弁体が取出口を閉じた状態にあるときの連結具の位置を遮断位置とするとき、復帰位置にある連結具と連係するフック部材と、このフック部材と連結具との連係を解除するように動作させる第１の電磁石と、連結具の復帰位置への移動を検知する検知部と、地震感知器の地震感知体を地震感知前の位置に復帰させる第２の電磁石とからなり、地震感知器からの感知信号に基づき、第１の電磁石を作動させてフック部材と連結具との連係を解除することにより、連結具が遮断位置に移動し、弁体が取出口を閉鎖するとともに、貯液槽内の液圧が弁体を閉鎖位置に押圧するようになされ、検知部が連結具の復帰位置への移動を検知したとき、第２の電磁石を作動させて地震感知器の地震感知体を地震感知前の位置に復帰させるように構成している。また、本発明の請求項２記載の貯液槽の緊急遮断装置は、地震感知器は、永久磁石と第２の電磁石とからなり、第２の電磁石をオン状態として地震感知体を吸引することにより、地震感知体を地震感知前の位置に復帰させ、この後、第２の電磁石をオフ状態として、その後は永久磁石によってのみ地震感知体を垂下させることにより、地震感知待機状態とするように構成している。そのため、地震発生後に弁体を開放状態にすれば、これに連動して地震感知器が地震感知待機状態に復帰することから、弁体が開放状態であるにもかかわらず、地震感知体が地震感知待機状態に復帰していないといった状態は発生せず、地震感知体を必ず地震感知待機状態に復帰させることができる。したがって、弁体を開放しさえすれば、次の設定加速度以上の地震（余震）が発生したときに、地震感知器は正常に作動することになり、フック部材と連結具との連係が解除されて、弁体が取出口を閉鎖する。また、地震（余震）により貯液槽の外方に付設されている供給管や、供給管に連なる機器などが破損したときには、貯液槽内の液圧が弁体を閉鎖位置に押圧するように作用するので、貯液槽が破損しない限り、貯液槽に貯留されている液体を確実に確保することができる。
【００９０】
また、本発明の請求項３記載の貯液槽の緊急遮断装置は、取出口を閉鎖していた弁体を引き上げて取出口を開放するために連結具を遮断位置から復帰位置まで引っ張って移動させる際、連結具の復帰位置方向への移動を検知部によって検知し、第１の電磁石を作動させてフック部材を連結具との連結を解除する位置に移動させ、連結具が復帰位置に移動した後、第１の電磁石を作動させてフック部材を連結具と連係するように移動させる構成としたので、フック部材に邪魔されることなく、連結具を復帰位置までスムーズに移動させることができる。
【図面の簡単な説明】
【図１】本発明の貯液槽の緊急遮断装置の第１実施形態を示す概略図である。
【図２】図１の要部である弁体及び係脱機構周辺の拡大図である。
【図３】（ａ）は係脱機構のカバー部を取り除いた状態を示す平面図、（ｂ）は（ａ）のＡ−Ａ線断面図、（ｃ）は（ｂ）のＢ−Ｂ線断面図、（ｄ）は係脱機構の一部切欠側面図である。
【図４】本発明の貯液槽の緊急遮断装置の第２実施形態を示す概略図である。
【図５】本発明の貯液槽の緊急遮断装置の第３実施形態を示す概略図である。
【図６】本発明の貯液槽の緊急遮断装置の第４実施形態を示す概略図である。
【図７】本発明の貯液槽の緊急遮断装置の第５実施形態を示す概略図である。
【図８】本発明の貯液槽の緊急遮断装置の第６実施形態を示す概略図である。
【符号の説明】
１  緊急遮断装置
２  貯液槽
２ａ  取出口
３  供給管
３４  主弁
３６  復帰弁
４  弁体
５  連結具
６  地震感知器
８  係脱機構
６１  地震感知体
６７  永久磁石
８２  フック部材
Ｓ１，Ｓ２  電磁ソレノイド（第１の電磁石）
Ｓ３  電磁ソレノイド（第２の電磁石）
Ｍ１，Ｍ２，Ｍ３  マイクロスイッチ
【図１】
0003764545.tif 000002
【図２】
0003764545.tif 000003
【図３】
0003764545.tif 000004
【図４】
0003764545.tif 000005
【図５】
0003764545.tif 000006
【図６】
0003764545.tif 000007
【図７】
0003764545.tif 000008
【図８】
0003764545.tif 000009